(57)【要約】      （修正有）【課題】引き戸のストッパーの保持力を高く設定しても係合部材が破断し難く、かつ、係合部材が小さく形成できる引き戸のストッパー装置の提供。【解決手段】引き戸の開放時に第１係合部材８と第２係合部材９が係合することによって、引き戸の開閉状態を保持させるストッパー装置の第１係合部材８と第２係合部材９のうち少なくとも一方に弾性部材にて形成される弾性部材を装備し、弾性部材は、引き戸の開閉方向に延伸する第１弾性部８６と、第１弾性部８６の延伸先で第１弾性部８６に連接し形成される第２弾性部と、第２弾性部と連接するように形成される係合部を有し、弾性部材側の係合部材８に第１弾性部８６の弾性変形量を規制する規制部８７を備え、第１弾性部８６の弾性変形量を規制された後は第２弾性部が弾性変形するようにする。【選択図】図８
2020190107.tif 000002
【特許請求の範囲】
【請求項１】
建物用鉄骨などに固定される引き戸枠にレール部材が設けられ、開閉自在で自閉可能にレール部材に吊り下げられた引き戸を開放状態あるいは閉止状態に保持する引き戸のストッパー装置において、ストッパー装置は、引き戸側に設けられた第１係合部材と、引き戸枠側の固定部材に設けられた引き戸を開放させると前記第１係合部材に係合する第２係合部材とから成り、引き戸の開放時に第１係合部材と第２係合部材が係合することによって、引き戸の開閉状態を保持させるものであって、第１係合部材と第２係合部材のうち少なくとも一方に弾性変形可能な弾性部材を備え、弾性部材の該弾性変形を利用してストッパー装置の係脱が行なわれるもので、弾性部材は、引き戸の開閉方向に延伸する第１弾性部と、第１弾性部の延伸先で第１弾性部に連接し形成される第２弾性部とを有し、弾性部材側の係合部材に第１弾性部の弾性変形量を規制する規制部を備え、第１弾性部の弾性変形量を規制された後は第２弾性部が弾性変形することを特徴とする引き戸のストッパー装置。
【請求項２】
第１弾性部を有する係合部材が弾性変形方向と直行する方向に回転することを防止する回転防止部を第１弾性部に設けていることを特徴とする請求項２に記載の引き戸のストッパー装置。
【発明の詳細な説明】
【技術分野】
【０００１】
本発明は、引き戸の姿勢を保持する引き戸のストッパー装置に関するものである。
【背景技術】
【０００２】
病院等の公共の施設で使用されることの多い自閉式の引き戸装置において、引き戸を開放状態で保持する開放ストッパーを設けて、引き戸を開放状態にしたままで使用されていることがある。あるいは、施設などで自閉装置を持たない引き戸装置においては、引き戸の閉止姿勢や開放姿勢を維持するストッパーを設けることがある。
従来、建物の開口部に配置される引き戸装置は、使用者が通過した後、引き戸が開放されたままにならないよう、引き戸が自動的に閉鎖する自閉機能を有するものが多く採用されている。
【０００３】
従来の全開ストッパー機能は、移動する引き戸の戸先側に設けられた第１係合体と、引き戸枠などに固定部に設けられた第２係合体が係合することにより引き戸のストッパー機能が働くものであり、第１係合体、第２係合体のいずれかがバネ鋼などの弾性部材で形成され、山形係合部を持つものであって、他方側の係合部材が、該山形係合部を、弾性部材の弾性に抗しながら押圧することによって山形係合部を乗り越えるものが一般的である（例えば特許文献１）。
【０００４】
そして、このようなストッパーは、弾性力が弱いと、引き戸の跳ね返り力で簡単にストッパーが外れるので引き戸を最後まで手を添えて全開させなければならないため、係合状態から、容易に解除されないように前記弾性部材の弾性力を強くし、ストッパーの保持力を強くする傾向にある。
しかしながら、係合部材の弾性力を強くすると柔軟性がなくなり塑性変形しやすく係合部材の弾性部から破断する原因となり、このような問題を解消させるために係合部材の弾性力を弱く設定し、山形係合部の高さを大きく設定し、弾性側の係合部材を大きく弾性変形させることによって、容易にストッパーが外れにくいようにする方法も取られるが、この場合でも、弾性部の弾性変形量が大きくなるから、係合部材の弾性部から破断することがある。また、弾性側の係合部材の弾性変形するためのスペースを大きく取る必要があり、引き戸装置に納めるのが容易ではなかった。
【先行技術文献】
【特許文献】
【０００５】
【特許文献１】特許第３５３８５６２号公報
【発明の概要】
【発明が解決しようとする課題】
【０００６】
本発明は、従来の問題点に鑑みて、引き戸のストッパーの保持力を高く設定しても係合部材が破断し難く、かつ、係合部材が小さく形成できる引き戸のストッパー装置を提供することを課題とする。
【課題を解決するための手段】
【０００７】
本発明は、前記課題を解決するために第１の手段として、建物用鉄骨などに固定される引き戸枠にレール部材が設けられ、開閉自在で自閉可能にレール部材に吊り下げられた引き戸を開放状態あるいは閉止状態に保持する引き戸のストッパー装置において、ストッパー装置は、引き戸側に設けられた第１係合部材と、引き戸枠側の固定部材に設けられた引き戸を開放させると前記第１係合部材に係合する第２係合部材とから成り、引き戸の開放時に第１係合部材と第２係合部材が係合することによって、引き戸の開閉状態を保持させるものであって、第１係合部材と第２係合部材のうち少なくとも一方に弾性変形可能な弾性部材を備え、弾性部材の該弾性変形を利用してストッパー装置の係脱が行なわれるもので、弾性部材は、引き戸の開閉方向に延伸する第１弾性部と、第１弾性部の延伸先で第１弾性部に連接し形成される第２弾性部とを有し、弾性部材側の係合部材に第１弾性部の弾性変形量を規制する規制部を備え、第１弾性部の弾性変形量を規制された後は第２弾性部が弾性変形する構成とした。
【０００８】
次に第２の手段として、前記第１の手段として構成したところに加え、第１弾性部を有する係合部材が弾性変形方向と直行する方向に回転することを防止する回転防止部を第１弾性部に設ける構成とした。
【発明の効果】
【０００９】
前記第１の手段の発明によると、固定部側に設けられた第１弾性部の弾性変形量を規制する規制部によって、第１弾性部の弾性変形が規制されるから、ストッパーの係合過程あるいは、係合解除過程において、第１弾性部の弾性変形が規制された後は、第２弾性部が弾性変形することとなり、弾性変形箇所の分散ができるので、第１弾性部だけが弾性変形する場合に比べ係合部材の破断を抑制することができ、また、第１弾性部だけが弾性変形する場合に比べ係合部材が弾性変形する軌跡が小さくなるので係合部材をコンパクトにまとめることができる。
さらに、第１弾性部の弾性変形が規制された後は、第２弾性部が弾性変形するが、第２弾性部と係合部の距離が、第１弾性部と係合部の距離より短くなるため、第２弾性部を弾性変形させる力は、第１弾性部の弾性変形の規制前より多く必要となるため、ストッパーを効かす時の力や、ストッパーを解除するための力が大きくなる。そのため、ストッパーの保持力を大きくすることができる。
【００１０】
前記第２の手段の発明によると、第１弾性部を使って係合部材が弾性変形方向と直行する方向に回転することを防止することができるので、係合部材の固定部を小さくすることができ、係合部材全体をコンパクトにまとめることが可能となる。また、第１弾性部が設定された弾性変形方向を違う方向に弾性変形することを防止できるので、係合部材の破断を抑制することができる。
【図面の簡単な説明】
【００１１】
【図１】本発明の引戸の閉鎖状態の正面略図。
【図２】図１のＡ―Ａ線断面拡大図。
【図３】図１のＢ―Ｂ線断面拡大図。
【図４】図１のＣ―Ｃ線断面拡大図。
【図５】点検側ランマパネルを外した正面部分拡大略図。
【図６】第１係合部材の斜視図。
【図７】第１係合部材の分解斜視図。
【図８】ストッパー装置の作動直前を示す概略図。
【図９】第１弾性部が弾性変形している状態を示す概略図。
【図１０】第２弾性部が弾性変形している状態を示す概略図。
【図１１】ストッパー装置の作動している状態を示す概略図。
【発明を実施するための形態】
【００１２】
引き戸のストッパーの保持力を高く設定しても係合部材が破断し難く、かつ、係合部材が小さく形成できる引き戸のストッパー装置とするため形態を実施例に基づいて以下に説明する。
【実施例】
【００１３】
以下、第１実施例を添付図面に基づいて詳述する。
図１において、符号１は引き戸枠を示している。引き戸枠１は、図１から図４に示すように、建物用鉄骨１１・・・にブラケット１２・・・を介して固定された戸尻側縦枠１３および戸先側縦枠１４と、戸尻側縦枠１３と戸先側縦枠１４の上端間に配設され、建物用鉄骨１１・・・に連結された上枠１５等より構成されている。
【００１４】
そして、戸尻側縦枠１３と戸先側縦枠１４間のほぼ中間位置で、上枠１５の前側（実施例では点検側、）と後側（実施例では室外側）の両面に上端が連結され、下端部が床面に埋め込まれた前中縦枠３と後中縦枠３０が、前後に所定間隔を有して配設されている。
以下、戸尻側縦枠１３と前後中縦枠３、３０間を戸袋側、戸先側縦枠１４と前後中縦枠３、３０間を出入口側、前中縦枠３と後中縦枠３０の方向を前後方向、戸尻側縦枠１３と戸先側縦枠１４の方向を開閉方向と云う。
【００１５】
図１、図２、図４において、符号２は、戸尻側縦枠１３と戸先側縦枠１４の上端内面に、開閉方向の両端部が高さ調節可能に連結されているレール保持材を示している。
レール保持材２の前面側にはレール部材５が取り付けられ、レール部材５には引き戸６が吊り下げられている。
符号１６は、戸袋側の床面全幅にわたって固定されたベース材を示し、符号４は、ベース材１６の出入口側端部に設けられたガイド装置を示している。
図１、図３、図４において、符号１７は、戸袋室内側及び戸袋室外側の両面上下方向に所定間隔を有して配設された下地桟を示している。
図２において符号１８は、前中縦枠３と戸先側縦枠１４の上端部間に配設された、前中縦枠３の前後方向の幅とほぼ同じ幅を有する、前化粧枠を示し、符号１９は、後中縦枠３０と戸先側縦枠１４の上端部間に配設された、後中縦枠３０の前後方向の幅とほぼ同じ幅を有する、後化粧枠を示す。
【００１６】
そして、上記戸尻側縦枠１３、戸先側縦枠１４、上枠１５、レール部材５が取り付けられたレール保持材２、ベース材１６、前中縦枠３、後中縦枠３０、下地桟１７・・・・・、ガイド装置４、前化粧枠１８、後化粧枠１９が内装仕上げ（化粧ボード１００、クロス等の貼り付け）の行われるまでに施工され、内装仕上げが終了した後、引き戸６がレール部材５に吊り込まれ、床面との調整、引き戸６の摺動・引き込み確認、レール保持材２の連結固定等が行われる。
そして、その後、点検側ランマパネル７、固定側固定側ランマパネル７０が引き戸６の上方に引き戸６と表面が面一に取り付けられる。
すなわち、本発明の実施例１では、施工が完了した状態では、戸先側縦枠１４、前中縦枠３、後中縦枠３０、前化粧枠１８、後化粧枠１９、点検側ランマパネル７、固定側ランマパネル７０、引き戸６以外は化粧ボード１００で隠蔽された状態となる。
【００１７】
以下、本件発明に関係する部材について詳述する。
戸尻側縦枠１３は横断面略コ字形に形成され、建物用鉄骨１１の出入口側面から所定寸法離間した位置に立設され、L字形のブラケット１２・・・と建物用鉄骨１１が溶接されたあと、鉛直姿勢の状態でブラケット１２と溶接される。符号１３８は、引き戸６が全開した時、引き戸６の戸尻側端面が当接する、出入口側面に取り付けられた緩衝部材を示している。
【００１８】
戸先側縦枠１４は、図３に示すように、扁平矩形状とされ、建物側鉄骨１１側の上下方向に所定間隔を有して固定用部材１４１・・・が設けられ、引き戸６の戸先側端部が位置する部分に上下方向に渡って閉鎖用凹部１４８が設けられている。
【００１９】
上枠１５は、図２に示すように、断面上向き略コ字形に構成されている。
L字形のブラケット１２・・・と建物用鉄骨１１が溶接されたあと、水平姿勢の状態でブラケット１２と溶接される。
【００２０】
戸先側縦枠１４と上枠１５は上記のように構成され、戸尻側縦枠１３が立設された後、上枠１５の戸先側を戸先側縦枠１４にネジ止めして、上枠１５と戸先側縦枠１４を仮組みした状態で、上枠１５と戸尻側縦枠１３を同様にして仮組みする。
次に、上記の状態を維持しながら戸先側のL字形のブラケット１２・・・を介して、戸先側縦枠１４の固定用部材１４１・・・建物用鉄骨１１と溶接連結し、次に上枠１５と建物用鉄骨１１を連結する。
【００２１】
ベース材１６は、図３、図４に示すように、戸袋側の床面全幅に位置する固定面１６１と、固定面１６１の室内側（点検側）及び室外側（固定側）の端部に形成された立ち上がり面１６２、１６２と、立ち上がり面１６２、１６２から内方に突出して形成されたＬ字形の下地ボード受け面１６３、１６３と、固定面１６１の出入り口側端部に、出入り口側に突出し、引き戸６の下端面に形成された案内溝６０内に嵌合するガイドローラー４１を、その上面で回転自在に保持するガイド装置４が固着されている。
そして、ガイドローラー取付部材１６４の出入り口側端部はアンカーボルトにて床面に固定されると共に、ベース材１６の出入口側端部は室内側中枠３、室外側中枠３０の内面と連結され、さらに、戸尻側端部が戸尻側縦枠１３と連結され床面に固定される。
【００２２】
下地桟１７は、図１、図４に示すように、基板表面部１７１と、基板表面部１７１の上下端部をL字形に折り曲げた上下フランジ部１７２、１７３より構成され、基板表面部１７１の戸先側端部に取り付けられた係合片が、室外側中枠３０と室内側中枠３に上下方向に所定間隔を有して設けられた係合孔に差し込まれ、基板表面部１７１の戸尻側端部が戸尻側縦枠１３にネジ止め連結され、上下方向に所定間隔を有して配設される。
【００２３】
ガイド装置４は、図２に示すように、引き戸６の下面の案内溝６０に嵌合するガイドローラー４１と、ガイドローラー４１を、その上面で回転自在に保持するガイドローラー取付部材４２より構成されている。
そして、ガイドローラー取付部材４２の出入り口側端部がアンカーボルトにて床面に固定される。
【００２４】
前後中縦枠３、３０は前後方向で対称形に形成されている。
前中縦枠３は、上端部が上枠１５の室内側垂直面にネジ止め連結される内面側に位置する補強枠３１と、補強枠３１の出入り口側の端部から室内側に位置する室内側外側枠３６より構成されている。
そして、室内側外側枠３６は、出入り口側の端部から室内側に突出し、室内側戸袋化粧ボード１００の出入口側端部を隠蔽する室内側中枠突部３２と、室内側中枠突部３２の内面側端部から戸尻側縦枠１３方向に突出し、室内側戸袋化粧ボード１００が貼り付けられる化粧ボード支持部３３と、化粧ボード支持部３３の戸尻側縦枠１３側の端部からL字形に戸尻側縦枠１３方向に突出し、下地桟１７・・・の室内側中枠３側の端部の係止片１７４と係合する係合孔を有する下地桟連結部３４より形成され、下端部がベース材１６と連結され、床面仕上げ時に下端が床面に埋め込まれて立設される。
【００２５】
前中縦枠３０は、上端部が上枠１５の室外側垂直面にネジ止め連結される内面側に位置する補強枠３０１と、補強枠３０１の出入り口側の端部から室外側に位置する室外側外側枠３０６より構成されている。
そして、室外側外側枠３０６は、出入り口側の端部から室外側に突出し、室外側戸袋化粧ボード１００の出入口側端部を隠蔽する室外側中枠突部３０２と、室外側中枠突部３０２の内面側端部から戸尻側縦枠１３方向に突出し、室外側戸袋化粧ボード１００が貼り付けられる化粧ボード支持部３０３と、化粧ボード支持部３０３の戸尻側縦枠１３側の端部からL字形に戸尻側縦枠１３方向に突出し、下地桟１７・・・の室内側中枠３側の端部の係止片１７４と係合する係合孔を有する下地桟連結部３０４より形成され、下端部がベース材１６と連結され、床面仕上げ時に下端が床面に埋め込まれて立設される。
【００２６】
前後化粧枠１８、１９は、図２に示すように、前後方向で対称形に形成されている。すなわち、前化粧枠１８は、開閉方向の左右端部が前中縦枠３の上端部内面と戸先側縦枠１４の上端部前内面間に配設され、後端面１８１と前記点検側ランマパネル上保持突片１５５間に、点検側ランマパネル上嵌入用間隙１８２が形成される。
一方、後化粧枠１９は、開閉方向の左右端部が後中縦枠３０の上端部内面と戸先側縦枠１４の上端部後側内面間に配設さて、前端面１９１と前記ランマパネル上保持突片１５６間に、ランマパネル上嵌入用間隙１９２が形成される。
【００２７】
固定側ランマパネル７０と点検側ランマパネル７は、前後方向で略対称形に形成されている。固定側ランマパネル７０は、横長板状に形成され表面が取り付け状態で引き戸６の後面側と面一に上方に配設される後表面板７０１と、前記ランマパネル上嵌入用間隙１９２に下方から嵌入するランマパネル上嵌入部７０２からなる。
【００２８】
点検側ランマパネル７には、横長板状に形成され表面が取り付け状態で引き戸６の前面板と面一に上方に配設される前表面板７１と、前表面板７１の上部に形成された、前記点検側ランマパネル上嵌入用間隙１８２に下方から嵌入する点検側ランマパネル上嵌入部７２からなる。
【００２９】
レール保持材２は、図２に示すように、レール部材５が前側に連結されるレール部材連結壁を有し、戸先側縦枠１４と戸尻側縦枠１３の上端部間に、高さ調節可能で、水平状態に配設され、引き戸６の摺動には連動せず、引き戸枠、点検側ランマパネル、固定側ランマパネルと共に不動部材である。
【００３０】
レール部材５は、レール保持材２のほぼ全幅に渡って配設され、図２に示すように、断面略C字形で、レール保持材２よりやや短目のレール補強部材と、レール補強部材の室内側にネジ止め連結される断面略C字形で、レール補強部材とほぼ同長の外側メンバーと、外側メンバーの略３分の２程度の長さのボールリテーナに回転自在に保持されたボールを介して、外側メンバーに摺動自在に保持される、外側メンバーの略３分の１程度の長さの移動側メンバーより構成され、移動側メンバーの前面側には、移動側メンバーと同程度の長さの吊り下げ用金具５１が固着されている。
【００３１】
吊り下げ用金具５１は、図２に示すように、移動側メンバーの前面側に固着される連結固着部５２と、連結固着部５２の下端部に連設された前面側が開口するコ字形の吊り下げ支持部５３より構成されている。
そして、吊り下げ支持部５３の開閉方向側両端部には、前面側が開口する吊り下げボルト挿通孔が形成されている。
尚、吊り下げ用金具５１は、引き戸６が吊り下げられた状態で、引き戸６の開閉移動に合わせてレール部材５上を摺動移動する移動部材である。
【００３２】
引き戸６は、図１から図３に示すようにパネル形状をなし、下端面の開閉方向に前記ガイドローラー４１が嵌合する案内溝６０が形成され、上端面の開閉方向に所定間隔を有して、吊り下げ用連結螺孔６１、６１が形成され、吊り下げ用連結螺孔６１、６１には戸先側、戸尻側吊り下げボルト６２、６２が螺合している。そして、引き戸６の戸先側端面には、引き戸の閉鎖状態で戸先側縦枠１４の閉鎖用凹部１４８内に位置する戸当たり６００が、戸先側縦枠１４方向に突出して設けられている。
符号３００は、引き戸６の戸先側端部で、点検側（室内側）、固定側（室外側）に設けられた取手を示している。
【００３３】
吊り下げボルト６２は、螺軸部とボルト頭部よりなり、点検側ランマパネル７が取り外された状態の出入口の点検側より、吊り下げボルト６２、６２の螺軸部が、吊り下げ支持部５３の吊り下げボルト挿通孔を挿通して、ボルト頭部が吊り下げ用支持部５３に保持され、必要に応じて頭部をスパナで回動して引き戸６を所定の高さに位置させた後、ボルト保持体６５、６５が吊り下げ用支持部５３に前側より連結されて、レール部材５に吊り下げ用金具５１を介して吊り下げられる。
【００３４】
吊り下げ用金具５１には、支持部材８０が取り付けられており、支持部材８０は、図２、図６に示すように、上下方向に長尺な長方形を成す板状の基部８０１と、基部８０１の下端を段状に折り曲げて形成される取り付け片８０２と、基部８０１の上端の戸先側面を固定側ランマパネル７０方向に折り曲げて形成されるブレーキ当り片８０３と、基部８０１の上端の戸袋側上面を固定側ランマパネル７０方向に段状に折り曲げて形成される取り付け部８０４が形成され、取り付け片８０２部で吊り下げ用金具５１の戸尻側に螺合される。
ブレーキ当り片８０３は、引き戸６の閉止時のスピードを調整するエアー式ブレーキ装置（図示せず）を作動させるためのものである。
【００３５】
そして、前記取り付け部８０４には、ストッパー座８１が取り付けられるが、ストッパー座８１は、図７に示すように、左右方向に長尺な長方形を成す板状の連結片８１１と、連結片８１１の上端で、一旦、固定側ランマパネル７０方向に折れ曲げられ、さらに折り曲げられた先端で上方に向かって折り曲げられ形成される支持体８１２と、支持体８１２の上端で、点検側ランマパネル７の方向に折り曲げられ形成される固定部８１３で形成され、連結片８１１には溶接ナットにて螺孔８１１ａ、８１１ａが設けられ、固定部８１３には引き戸の開閉方向に長尺な長孔の前後調整孔８１３ａが設けられている。
【００３６】
固定部８１３には、第１ストッパー体８２が取り付けられるが、第１ストッパー体８２は、薄板鋼板で形成され、図７に示すように、引き戸の開閉方向に長尺な板状の水平固定部８２１と、水平固定部８２１の戸袋側端から戸袋側に向かって斜め上に延伸する突起部８２２と、突起部８２２の戸袋側端から戸袋側に向かって斜め下に延伸する支持片８２３と、支持片８２３から前後端を上方に立ち上げられ形成されるローラー取り付け片８２４、８２４が形成される。
そして、車輪状に合成樹脂で成型されるストッパー車８２５が、ローラー取り付け片８２４、８２４に設けられた軸孔を使用して固定される軸ピン８２６に回転可能に取り付けられ、第１ストッパー体８２は構成される。
【００３７】
水平固定部８２１には、引き戸の開閉方向に離間して戸先側の固定孔８２１ａ、戸袋側の規制孔８２１ｂが設けられている。
第１ストッパー体８２はストッパー座８１の固定部８１３に対して、次のように取り付けられる。
まず、固定部８１３の水平面である上面に、スペーサー８４を載置する。スペーサー８４は、厚板材であって、引き戸の開閉方向側の長さが第１ストッパー体８２の水平固定部８２１の引き戸の開閉方向側の長さのおおよそ半分の長さに設定され、平面部を貫通する貫通孔８４ａが設けられているものである。
【００３８】
次に、スペーサー８４の上面に第１ストッパー体８２の水平固定部８２１を載置する。  そして、固定部８１３の下面に、引き戸の開閉方向に離間した２箇所の螺孔８３１が設けられた板状のネジ座８３を当接させる。
この状態で、水平固定部８２１の上面より固定孔８２１ａにボルト８５１のネジ部を貫通させ、さらにボルト８５１のネジ部を貫通孔８４ａ、前後調整孔８１３ａに貫通させ、ボルト８５１をネジ座８３の戸先側の螺孔８３１に螺合させ、ボルト８５１を締め込み、第１ストッパー体８２を固定する。
【００３９】
この状態では、第１ストッパー体８２は、ストッパー座８１に対して、ボルト８５１を軸に回転する可能性がある。そのため、軸状で下部が雄ネジ状に加工された規制ピン８５２を次のように取り付け、第１ストッパー体８２のボルト８５１を軸として回転を防止する。
まず、規制ピン８５２の下部ネジ部から規制孔８２１ｂに挿入し、前後調整孔８１３ａを貫通させた後、ネジ部をネジ座８３の戸先側の螺孔８３１に螺合させ、規制ピン８５２を締め込み、所定の場所で締め込みを停止する。規制ピン８５２は、規制孔８２１ｂより上方に突出する長さに設定されているため、第１ストッパー体８２のボルト８５１を軸として回転しようとしても、規制孔８２１ｂに規制ピン８５２が貫通しているので、第１ストッパー体８２は回転が規制される。
このように規制ピンを使用する方法の他に、固定部８１３あるいは、水平固定部８２１の前後方向をそれぞれ立ち上げて規制片を形成し、固定部８１３あるいは、水平固定部８２１を該規制片にて抱え込み回転を規制する方法でもよい。
【００４０】
このようにストッパー座８１に第１ストッパー体８２が取り付けられた状態で、スペーサー８４は、水平固定部８２１の戸先寄りに設置されており、規制ピン８５２を含む水平固定部８２１の戸尻側は、下面と固定部８１３間にスペーサー８４の板厚分の隙間Ａが開くように設定されている（実施例の場合は高さ３ｍｍの隙間）。
そして、第１ストッパー体８２は、薄板鋼板の弾性力を利用して弾性変形可能とされているので、隙間Ａの分だけ、下方に向かって弾性変形可能となる。
すなわち、隙間Ａが設けられているスペーサー８４の戸袋側端から戸袋側の水平固定部８２１が第１弾性部８６として設定される。
また、第１弾性部８６は、隙間Ａ部で下方に向かって弾性変形すると、第１弾性部８６の先端下面が、固定部８１３の上面に接触し、それ以上の弾性変形を規制する。すなわち、固定部８１３の上面が第１弾性部９０の必要以上の弾性変形を防止する規制部８７となっている。
【００４１】
そして、第１ストッパー体８２が取り付けられたストッパー座８１が次のように支持部材８０に取り付けられる。
支持部材８０の取り付け部８０４には、上下方向に長尺な小判孔状の取り付け孔８０４ａ、８０４ａが設けられており、取り付け部８０４の固定側ランマパネル７０側面にストッパー座８１の連結片８１１を当て、取り付け孔８０４ａ、８０４ａ、螺孔８１１ａ、８１１ａを使って点検側ランマパネル７側からネジにてストッパー座８１が支持部材８０に取り付けられる。
尚、第１ストッパー体８２は、ネジ、ボルトを緩めることにより取り付け孔８０４ａの範囲内で上下方向に高さ調整可能であり、また、前後調整孔８１３ａの範囲内で開閉方向に調整可能とされており、ストッパー装置９００のストッパーの効き具合を調整できる。
以上のように支持部材８０に取り付けられたストッパー座８１と第１ストッパー体８２で、引き戸６の開閉に合わせて開閉方向に移動する第１係合部材８が構成される。
【００４２】
次に、レール保持材２側に設置される第２係合部材９について説明する。
第２係合部材９は、レール保持材２の上部で固定側ランマパネル７０側から点検側ランマパネル７の前後方向に向かって水平に突き出るように形成される突出片２１の下面に固定設置されるもので、点検側ランマパネル７側から視て、下方に突出する三角形状である。
より具体的には、突出片２１の下面の戸先側から戸袋側に向かって緩やかに斜め下方に突出する第１案内面９１と、第１案内面９１の下方端から戸袋側に向かって急激に斜め上方に突出する第２案内面９２が形成されるものである。
そして、このように構成された第２係合部材９の下方部に第１係合部材８が配置される位置関係となっており、第１係合部材８と第２係合部材９でストッパー装置９００が構成される。尚、第１係合部材８は引き戸６とともに移動する移動部材で、第２係合部材９は不動部材である。
【００４３】
次に、ストッパー装置９００が引き戸６の開放ストッパーとして作動する場合について説明する。
まず、図５に示すように、引き戸６が全閉した状態で、第１係合部材８は、吊り下げ用金具５１に部材を介して連結されているから、引き戸６の上方に位置していることになる。第２係合部材９は、該第１係合部材８の位置から戸袋側の位置に配置されている。
この第２係合部材９の戸袋側の位置は、引き戸６を開放状態で保持したい位置に設定されるから、通常は引き戸６が全開した状態で保持される位置に設定される。
【００４４】
そして、引き戸６が開放されると、第１係合部材８は引き戸６と共に戸袋側に移動する。
第１係合部材８が戸袋側に移動すると、図８に示すように、まずストッパー車８２５が、第２係合部材９の第１案内面９１に接触する。そのまま引き戸６が開放されると、図９に示すように、ストッパー車８２５が第１案内面９１の傾斜にそって下方に押し下げられるので、第１係合部材８の第１弾性部８６が下方に向かって弾性変形する。そして、第１弾性部８６が規制部８７に接触すると、第１弾性部８６の弾性変形は抑制される。
この状態から引き戸６をさらに開放すると、図１０に示すように、第１弾性部８６と規制部８７の接触部を起点にして突起部８２２が戸袋側の下方に向かって弾性変形する。そして、図１１に示すように、ストッパー車８２５が、第１案内面９１の最下点を乗り越えると、第１係合部材８の復元力で第１係合部材８は最初の状態に復元し、ストッパー車８２５が第２案内面９２の戸袋側で第１案内面の最下点より上方の位置になる。
【００４５】
このように、第１弾性部８６と規制部８７の接触部を起点にして突起部８２２が戸袋側の下方に向かって弾性変形する突起部８２２が第２弾性部８８として設定される。
そして、第１弾性部８６の弾性変形が規制された後は第２弾性部８８が弾性変形することになるから、第１ストッパー体８２の弾性変形箇所の分散ができるので、第１弾性部８６だけが弾性変形する場合に比べ第１ストッパー体８２の破断を抑制することができ、また、第１弾性部だけが弾性変形する場合に比べ第１ストッパー体８２が弾性変形する軌跡が小さくなるので第１係合部材８をコンパクトにまとめることができる。
【００４６】
前記のように、ストッパー車８２５が第１案内面９１の戸袋側に移動した状態で、引き戸６が閉止する方向に動くと、ストッパー車８２５が第２案内面９２に接触し、引き戸６が閉止することを防止し引き戸６を保持するストッパーとなる。ストッパー車８２５は係合部としての役割をする。
本件ストッパー装置９００を、引き戸６が全閉状態で保持するストッパーと使用する場合は、第１係合部材８と第２係合部材９を開閉方向で対称に形成し、引き戸６が全閉した状態で第１係合部材８のストッパー車８２５が第１案内面９１の戸先側に移動した状態になるように配置することによって可能となる。
【００４７】
次に、引き戸６が保持された状態から、引き戸６を強制的に閉止方向に移動させると、第２案内面９２に接触したストッパー車８２５が、第２案内面９２に沿って下方に押し下げられるので、第１係合部材８の第１弾性部８６が下方に向かって弾性変形する。
そして、第１弾性部８６が規制部８７に接触すると、第１弾性部８６の弾性変形は抑制されるから、引き戸６をさらに閉止させると、第２弾性部８８が戸袋側の下方に向かって弾性変形する。そして、ストッパー車８２５が、第２案内面９２の最下点を乗り越えると、引き戸６のストッパーは解除され引き戸６は閉止可能となる。
【００４８】
このように、第１弾性部８６の弾性変形が規制された後は、第２弾性部８８が弾性変形するが、第２弾性部８８と係合部であるストッパー車８２５と第２案内面９２との距離が、第１弾性部８６と係合部の距離より短くなるため、第２弾性部８８を弾性変形させる力は、第１弾性部８６の弾性変形の規制前より多く必要となるため、ストッパーを効かす時の力や、ストッパーを解除するための力が大きくなる。そのため、ストッパーの保持力を大きくすることができる。
【００４９】
また、第１弾性部８６は、規制ピン８５２によって上下方向にのみに動くように規制されるから、第１弾性部８６が上下方向以外に捩れたりすることなどを防止することが可能である。さらに、第１弾性部８６部に第１ストッパー体８２の回転防止機能を設けることがきるから、第１ストッパー体の固定部が固定孔８２１ａの一箇所で済むため固定部の開閉方向の寸法を短くすることが可能で、第１ストッパー体８２での大きさを小さくすることが可能である。
【００５０】
このように構成されるストッパー装置９００ではあるが、弾性変形する第１係合部材８をレール保持材２に設置し不動部材である第２係合部材とし、第２係合部材９を吊り下げ用金具５１側に設置する移動部材である第１係合部材としてもよい。
しかしながら、通常、ストッパー部は戸袋内に設置されるから、積極的な弾性変形を伴う第１係合部材８は、通常、定期交換が必要となるため、前述のとおり、第１係合部材８を移動部材とし、第２係合部材９を不動部材とするほうが望ましい。ただし、壁面に取り付ける面付けタイプの引き戸装置のように戸袋側を開放されているものであれば、第１係合部材８をレール保持材２に設置し不動部材とし、第２係合部材９を吊り下げ用金具５１側に設置する移動部材とすることが容易である。
【産業上の利用可能性】
【００５１】
このようなストッパー装置は、出入り口を開閉する引き戸装置だけでなく、キャビネット用の引き戸や、窓サッシといったところにも採用可能で広く適用できる。
【符号の説明】
【００５２】
１        引き戸枠
２        レール保持材
２１      突出片
５        レール部材
５１      吊り下げ用金具
７        点検側ランマパネル
７０      固定側固定側ランマパネル
８        第１係合部材
８０      支持部材
８０１    基部
８０４    取り付け部
８０４ａ  取り付け孔
８１      ストッパー座
８１１    連結片
８１１ａ  螺孔
８１２    支持体
８１３    固定部
８１３ａ  前後調整孔
８２      第１ストッパー体
８２１    水平固定部
８２１ａ  固定孔
８２１ｂ  規制孔
８２２    突起部
８２３    支持片
８２４    ローラー取り付け片
８２５    ストッパー車
８２６    軸ピン
８３      ネジ座
８３１    螺孔
８４      スペーサー
８５１    ボルト
８５２    規制ピン
Ａ        隙間
８６      第１弾性部
８７      規制部
８８      第２弾性部
９        第２係合部材
９１      第１案内面
９２      第２案内面
９００  ストッパー装置
【図１】
2020190107.tif 000003
【図２】
2020190107.tif 000004
【図３】
2020190107.tif 000005
【図４】
2020190107.tif 000006
【図５】
2020190107.tif 000007
【図６】
2020190107.tif 000008
【図７】
2020190107.tif 000009
【図８】
2020190107.tif 000010
【図９】
2020190107.tif 000011
【図１０】
2020190107.tif 000012
【図１１】
2020190107.tif 000013